(57)【特許請求の範囲】
【請求項１】
浴槽内に貯留された湯水を前記浴槽と風呂釜との間で循環させるための配管を前記浴槽に接続するために、前記浴槽に取り付ける風呂釜用循環アダプタであって、
前記浴槽に取り付けた状態で前記浴槽内側に突出する、吸込口が形成されたアダプタヘッドと、
前記アダプタヘッドに装着されるフィルタ部材とを備え、
前記フィルタ部材の内周面には、内方に突出する凸部が設けられており、
前記アダプタヘッドの外周面には、前記フィルタ部材をアダプタヘッドに装着するときに、前記フィルタ部材の凸部を所定位置に案内する案内溝が形成されており、
前記案内溝には、弾性変形することによって、前記フィルタ部材の凸部が通過可能な係止凸部を有する板バネが、弾性変形可能に取り付けられていることを特徴とする風呂釜用循環アダプタ。
【請求項２】
前記案内溝を形成している側壁には、前記板バネの周縁部を挿入するための挿入溝が形成されており、
前記挿入溝は、その溝幅が前記板バネの厚みより大きくなっている請求項１に記載の風呂釜用循環アダプタ。
【請求項３】
前記板バネは、前記係止凸部を有する部分が幅狭に形成されている請求項１または２に記載の風呂釜用循環アダプタ。
【発明の詳細な説明】
【０００１】
【発明の属する技術分野】
この発明は、浴槽内に貯留された湯水を前記浴槽と風呂釜との間で循環させるための配管を前記浴槽に接続するために、前記浴槽に取り付ける風呂釜用循環アダプタに関する。
【０００２】
【従来の技術】
浴槽内に貯留された湯水を浴槽と風呂釜との間で強制的に循環させる強制循環式の風呂釜を使用する場合は、浴槽と風呂釜とを配管で接続しなければならず、通常、浴槽には配管接続用の循環アダプタが取り付けられている。
【０００３】
この種の循環アダプタとしては、例えば、図１２に示すようなものがある。この循環アダプタ５０は、同図に示すように、浴槽に取り付けられる合成樹脂製のアダプタ本体５１と、このアダプタ本体５１に着脱自在に装着されるステンレス製のフィルタ部材５７とから構成されており、浴槽に取り付けたアダプタ本体５１に、風呂釜に至る往配管Ｐｓ及び還配管Ｐｒが接続されるようになっている。
【０００４】
前記アダプタ本体５１は、浴槽内に貯留された湯水を吸い込む吸込口５３及び浴槽内に湯水を吐出する吐出口５４が形成されたアダプタヘッド５２を有しており、アダプタ本体５１を浴槽に取り付けた状態では、アダプタヘッド５２のみが浴槽内に突出するようになっている。
【０００５】
前記フィルタ部材５７は、浴槽内に突出したアダプタヘッド５２部分に装着されるキャップ状のものであり、アダプタヘッド５２の外周部分を覆う円筒部５８と、この円筒部５８の一端側に連設された円形のフィルター部６０とから構成されている。アダプタヘッド５２の前面に形成された吸込口５３を覆うフィルター部６０には、多数の小孔６０ａが形成されており、円筒部５８には、アダプタヘッド５２の外周面に形成された吐出口５４を開放するための開口５８ａが形成されている。
【０００６】
従って、このフィルタ部材５７をアダプタヘッド５２に装着しておくと、風呂釜から往配管Ｐｓを通って送られてくる湯水は、アダプタヘッド５２の吐出口５４及びフィルタ部材５７の開口部５８ａから直接浴槽内に吐出されるが、風呂釜に戻される浴槽内の湯水は、必ず、フィルタ部６０の小孔６０ａを通過してアダプタヘッド５２の吸込口５３に吸い込まれることになるので、このフィルタ部材５７の存在によって、浴槽内に貯留された湯水中に存在している髪の毛やゴミ等のアダプタヘッド５２内への侵入が阻止されることになる。
【０００７】
また、円筒部５８の内周面には内方に突出した複数の凸部５９が形成されており、アダプタヘッド５２の外周面には、フィルタ部材５７をアダプタヘッド５２に装着する際、フィルタ部材５７の凸部５９を所定位置に案内すると共にフィルタ部材５７の抜止機能を発揮する複数の案内溝５５が、フィルタ部材５７の凸部５９に対応してそれぞれ形成されている。
【０００８】
この案内溝５５は、アダプタヘッド５２の前端部からフィルタ部材５７の嵌合方向に延びる導入溝５５ａと、この導入溝５５ａの後端部からアダプタヘッド５２の周方向に延びる抜止溝５５ｂとから構成されており、前記抜止溝５５ｂには、図１３（ａ）に示すように、その途中に、外方に突出する係止凸部５６が形成されている。
【０００９】
このフィルタ部材５７を上述したアダプタヘッド５２に装着する場合は、まず、フィルタ部材５７の凸部５９を、アダプタヘッド５２の外周面に形成された案内溝５５における導入溝５５ａ部分に位置合わせした後、フィルタ部材５７を押し込むことによって、その凸部５９を導入溝５５ａに沿って移動させながら、フィルタ部材５７をアダプタヘッド５２に嵌め込む。
【００１０】
続いて、フィルタ部材５７の凸部５９が抜止溝５５ｂに沿って移動可能な方向にフィルタ部材５７を回転させると、図１３（ａ）に示すように、フィルタ部材５７の凸部５９が抜止溝５５ｂの途中に形成された係止凸部５６に当接するが、ここで、力を加えてさらにフィルタ部材５７を同方向に回転させると、同図（ｂ）に示すように、フィルタ部材５７が径方向に弾性変形を起こすことによって、フィルタ部材５７の凸部５９が、係止凸部５６を乗り越えて抜止溝５５ｂの終端部まで移動し、係止凸部５６と抜止溝５５ｂとによって概ね位置決めされるので（同図（ｃ）参照）、フィルタ部材５７がアダプタヘッド５２の所定位置に装着される。また、このようにしてアダプタヘッド５２に装着されたフィルタ部材５７は、逆の動作を行うことによって、アダプタヘッド５２から簡単に取り外すことができる。
【００１１】
以上のように、フィルタ部材５７の凸部５９が係止凸部５６を乗り越える際は、フィルタ部材５７の回転抵抗が急激に変化するので、フィルタ部材５７をアダプタヘッド５２に装着しようとするユーザは、フィルタ部材５７を回転させる際の回転抵抗の変化を感じることによって、フィルタ部材５７がアダプタヘッド５２の正規の位置に確実に装着されたか否かを実感することができる。
【００１２】
【発明が解決しようとする課題】
ところで、上述したような循環アダプタ５０では、アダプタヘッド５２の抜止溝５５ｂに形成される係止凸部５６は、通常、アダプタヘッド５２を樹脂成形する際に一体的に形成されるので、かなりの剛性を有しており、また、フィルタ部材５７についても、ある程度の強度が要求されることから、少なくとも、１ｍｍ程度の肉厚を有するステンレス板等によって形成しなければならず、フィルタ部材５７自体の剛性も高くならざるを得ない。
【００１３】
このように、剛性の高いフィルタ部材５７は大きく弾性変形することがないので、アダプタヘッド５２側の係止凸部５６とフィルタ部材５７側の凸部５９との重なり代が適正値から少しでも大きくなると、フィルタ部材５７側の凸部５９がアダプタヘッド５２側の係止凸部５６を乗り越える際のフィルタ部材５７の回転抵抗が大きくなり、アダプタヘッド５２に対してフィルタ部材５７を円滑に着脱することができなくなるといった問題がある。
【００１４】
一方、アダプタヘッド５２側の係止凸部５６とフィルタ部材５７側の凸部５９との重なり代が適正値から少しでも小さくなると、フィルタ部材５７側の凸部５９がアダプタヘッド５２側の係止凸部５６を乗り越える際のフィルタ部材５７の回転抵抗及びその変化量が小さくなってしまい、フィルタ部材５７がアダプタヘッド５２の正規の位置に装着されたか否かを判断するための感触が得られにくくなると共に、アダプタヘッド５２に適正に装着されたフィルタ部材５７が簡単に外れてしまうといった問題がある。
【００１５】
従って、剛性の高い係止凸部５６を有するアダプタヘッド５２に、剛性の高いフィルタ部材５７を装着しなければならない、上述した循環アダプタ５０では、アダプタ本体５１やフィルタ部材５７を製造する際、厳しい寸法精度が要求されることになる。
【００１６】
また、アダプタヘッド５２側の係止凸部５６とフィルタ部材５７側の凸部５９とが適正な重なり代を有している場合であっても、剛性の高いフィルタ部材５７は大きく弾性変形することがないので、アダプタヘッド５２にフィルタ部材５７を着脱する際、即ち、フィルタ部材５７側の凸部５９がアダプタヘッド５２側の係止凸部５６を乗り越える際、アダプタヘッド５２の係止凸部５６には大きな押圧力が加わることになる。
【００１７】
従って、フィルタ部材５７の着脱を繰り返すうちに、合成樹脂によって形成されているアダプタヘッド５２側の係止凸部５６が摩耗してしまい、短期間のうちに、アダプタヘッド５２に装着したフィルタ部材５７が外れやすくなったり、フィルタ部材５７をアダプタヘッド５２に装着する際に、フィルタ部材５７がアダプタヘッド５２の正規の位置に装着されたか否かを確実に実感することができなくなるといった問題もある。
【００１８】
そこで、この発明の課題は、アダプタヘッドやフィルタ部材に厳しい寸法精度が要求されることがなく、適正な装着作業性と安定した装着状態とを確実に実現することができる耐久性に優れた風呂釜用循環アダプタを提供することにある。
【００１９】
【課題を解決するための手段及びその効果】
上記の課題を解決するため、請求項１に係る発明は、浴槽内に貯留された湯水を前記浴槽と風呂釜との間で循環させるための配管を前記浴槽に接続するために、前記浴槽に取り付ける風呂釜用循環アダプタであって、前記浴槽に取り付けた状態で前記浴槽内側に突出する、吸込口が形成されたアダプタヘッドと、前記アダプタヘッドに装着されるフィルタ部材とを備え、前記フィルタ部材の内周面には、内方に突出する凸部が設けられており、前記アダプタヘッドの外周面には、前記フィルタ部材をアダプタヘッドに装着するときに、前記フィルタ部材の凸部を所定位置に案内する案内溝が形成されており、前記案内溝には、弾性変形することによって、前記フィルタ部材の凸部が通過可能な係止凸部を有する板バネが、弾性変形可能に取り付けられていることを特徴とする風呂釜用循環アダプタを提供するものである。なお、ここにいう「風呂釜」には、風呂釜付の給湯器や風呂釜付の給湯暖房器も含まれる。
【００２０】
以上のように、この風呂釜用循環アダプタでは、アダプタヘッドにフィルタ部材を装着する際、フィルタ部材側の凸部がアダプタヘッド側の案内溝に取り付けられた板バネの係止凸部を通過する段階で、板バネが弾性変形するので、フィルタ部材側の凸部と板バネの係止凸部との重なり代をある程度大きく設定しても、大きな抵抗を受けることなく円滑にフィルタ部材をアダプタヘッドに装着することができる。
【００２１】
従って、フィルタ部材の凸部が係止凸部を乗り越える際に、剛性の高いフィルタ部材の弾性変形のみに依存していた従来の風呂釜用循環アダプタのように、アダプタヘッドやフィルタ部材に厳しい寸法精度が要求されることはなく、フィルタ部材側の凸部とアダプタヘッド側の板バネの係止凸部との重なり代をある程度大きく設定しておくことによって、適正な装着作業性と安定した装着状態を確実に実現することができる。特に、この風呂釜用循環アダプタでは、フィルタ部材側の凸部と板バネの係止凸部との重なり代のみならず、係止凸部が形成された板バネの弾性力を調整することによっても、フィルタ部材側の凸部が板バネの係止凸部を乗り越える際のフィルタ部材の回転抵抗及びその変化量を調整することができるので、適正な装着作業性と安定した装着状態を確保し易くなるという効果が得られる。
【００２２】
また、アダプタヘッド側の板バネが弾性変形することによって、フィルタ部材側の凸部が板バネの係止凸部を通過する段階で、板バネの係止凸部に大きな押圧力がかかりにくいので、アダプタヘッドに対するフィルタ部材の着脱を繰返し行っても、板バネの係止凸部が摩耗しにくく、適正な着脱作業性と安定した装着状態とを長期間維持することができる。
【００２３】
また、請求項２に係る風呂釜用循環アダプタのように、前記案内溝を形成している側壁には、前記板バネの周縁部を挿入するための挿入溝が形成されており、前記挿入溝の溝幅が前記板バネの厚みより大きくなっているものにあっては、板バネがフリーな状態でアダプタヘッドに取り付けられているので、板バネが弾性変形しやすく、アダプタヘッドにストレスがかかりにくいという効果が得られる。
【００２４】
特に、請求項３に係る風呂釜用循環アダプタのように、前記係止凸部を有する部分が幅狭に形成されている板バネを使用すると、係止凸部が弾性変形し易くなるので、フィルタ部材側の凸部とアダプタヘッド側の係止凸部との重なり代を、さらに大きく設定することが可能となる。
【００２５】
【発明の実施の形態】
以下、実施の形態について図面を参照して説明する。図１に示すように、この風呂釜用循環アダプタ１は、浴槽に取り付けられるアダプタ本体１０と、このアダプタ本体１０に着脱自在に装着されるフィルタ部材２０とを備えており、アダプタ本体１０は、本体部材１１と、この本体部材１１に着脱自在に取り付けられる配管接続部材１７とから構成されている。
【００２６】
前記本体部材１１は、浴槽内に貯留された湯水を吸い込む吸込口１２ａ及び浴槽内に湯水を吐出する吐出口１２ｂが形成された大径のアダプタヘッド１２と、このアダプタヘッド１２に連設される、外周面に雄ねじ１６ａが形成された小径の雄側接続部１６とから構成されており、アダプタヘッド１２及び雄側接続部１６の内部には、吸込口１２ａ及び吐出口１２ｂにそれぞれ連通する流路（図示せず）が形成されている。
【００２７】
前記配管接続部材１７は、本体部材１１の雄側接続部１６をねじ込むための雌ねじ１８ａが内周面に形成された、開口端に外フランジを有するカップ状の雌側接続部１８と、この雌側接続部１８に接続された配管接続用の２本の短管１９とから構成されており、雄側接続部１６を雌側接続部１８にねじ込むことによって、本体部材１１に配管接続部材１７を取り付けると、本体部材１１の内部に形成された流路が２本の短管１９にそれぞれ連通するようになっている。なお、雌側接続部１８の外フランジには、パッキンＰ２及びパッキンリングＰＲが装着されている。
【００２８】
また、この風呂釜用循環アダプタ１では、配管接続部材１７の２本の短管１９のいずれに風呂釜に対する往配管または還配管を接続しても、吸込口１２ａから湯水を吸い込み、吐出口１２ｂから湯水が吐出されるようになっており、往配管及び還配管の接続パターンに応じてアダプタヘッド１２に形成された２つの吸込口１２ａのいずれか一方が機能するようになっている。
【００２９】
以上のように構成されたアダプタ本体１０は、図２（ａ）に示すように、短管１９、１９に往配管及び還配管が接続された配管接続部材１７の雌側接続部１８の開口端を、浴槽Ｂの外側から浴槽Ｂの側壁に形成された取付穴Ｈに位置合わせした状態で、本体部材１１の雄側接続部１６を、取付穴ＨにパッキンＰ１を介して挿入しながら配管接続部材１７の雌側接続部１８にねじ込んで締め付けると、同図（ｂ）に示すように、浴槽Ｂの側壁が本体部材１１と配管接続部材１７とによって挟み込まれ、大径のアダプタヘッド１２のみが浴槽Ｂ内に突出した状態で、アダプタ本体１０が浴槽Ｂに取り付けられるようになっている。
【００３０】
前記フィルタ部材２０は、図１に示すように、ステンレス板を絞り加工することによってキャップ状に形成されており、浴槽Ｂ内に突出したアダプタヘッド１２部分に装着されるようになっている。アダプタヘッド１２の外周部分を覆う円筒部２１には、アダプタヘッド１２の外周面に形成された吐出口１２ｂを開放するための開口２２が形成されており、アダプタヘッド１２の前面に形成された吸込口１２ａを覆う円形のフィルター部２４には、フィルター機能を発揮する多数の小孔２５が形成されている。
【００３１】
また、フィルタ部材２０の円筒部２１には、図３（ａ）に示すように、その内周面から内方に突出する３個の凸部２３が形成されており、このフィルタ部材２０の円筒部２１が嵌合するアダプタヘッド１２の外周面には、同図（ｂ）に示すように、フィルタ部材２０をアダプタヘッド１２に装着する際、円筒部２１に形成された２個の凸部２３をそれぞれ所定位置に案内する略Ｌ字状の第１案内溝１３、１３と、円筒部２１に形成された残り１個の凸部２３を所定位置に案内すると共にフィルタ部材２０の抜止機能を発揮する板バネが取り付けられる略Ｕ字状の第２案内溝１４が、フィルタ部材２０の凸部２３に対応してそれぞれ形成されている。
【００３２】
前記第１案内溝１３は、図４（ａ）、（ｂ）に示すように、アダプタヘッド１２の前端部からフィルタ部材２０の嵌合方向に延びる導入溝１３ａと、この導入溝１３ａの終端部からアダプタヘッド１２の周方向に延びる、導入溝１３ａと同一深さの抜止溝１３ｂとから構成されており、抜止溝１３ｂは、その始端部から終端部に向かって溝幅が徐々に狭くなっている。また、抜止溝１３ｂの終端部には、フィルタ部材２０の凸部２３を位置決めするための係止突起１３ｃが形成されている。
【００３３】
図５（ａ）、（ｂ）に示すように、前記第２案内溝１４も、第１案内溝１３と同様に、アダプタヘッド１２の前端部からフィルタ部材２０の嵌合方向に延びる導入溝１４ａと、この導入溝１４ａの終端部からアダプタヘッド１２の周方向に延びる抜止溝１４ｂとから構成されているが、抜止溝１４ｂは、第１案内溝１３における抜止溝１３ｂの略２倍の長さを有しており、その始端部から中間部に向かって溝幅が一旦狭くなった後、中間部から終端部に向かって再び溝幅が広がっている。
【００３４】
また、第２案内溝１４は、板バネを収容するために、抜止溝１４ｂ及び抜止溝１４ｂに繋がる導入溝１４ａの終端部が、第１案内溝１３に比べて一段深くなっており、この深溝部分に収容された板バネが脱落しないように、深溝部分を形成している側壁には、板バネの周縁部を挿入するための挿入溝１４ｃが部分的に形成されている。
【００３５】
前記板バネ１５は、図６（ａ）、（ｂ）に示すように、厚さ０．３ｍｍのステンレス板によって形成されており、収容部である第２案内溝１４の底壁に沿うように、厚み方向に湾曲した形状を有している。また、平面的には、第２案内溝１４の抜止溝１４ｂの形状と同様に、長手方向の中央部が幅狭に形成されており、その幅狭部分が外方に突出するように、局部的に湾曲させることによって、フィルタ部材２０の凸部２３に係合する係止凸部１５ａが形成されている。なお、同図（ｂ）において一点鎖線で囲われた領域が、第２案内溝１４の挿入溝１４ｃに挿入される部分である。
【００３６】
上述したアダプタヘッド１２は、図８（ａ）に示すように、吐出口１２ｂや第１案内溝１３及び第２案内溝１４が形成されたヘッド先端部１２Ａをヘッド基端部１２Ｂに振動溶着することによって形成されており、ヘッド先端部１２Ａに形成された第１案内溝１３及び第２案内溝１４の抜止溝１３ｂ、１４ｂは、その基端部側に開放されている。即ち、抜止溝１３ｂ、１４ｂにおけるヘッド先端部１２Ａの基端部側の側壁は、ヘッド基端部１２Ｂの端面によって形成されており、抜止溝１３ｂ、１４ｂは、ヘッド先端部１２Ａをヘッド基端部１２Ｂに振動溶着することによって完成される。従って、同図（ｂ）に示すように、ヘッド先端部１２Ａの基端部側から、周縁部分を挿入溝１４ｃに挿入しながら板バネ１５を第２案内溝１４の深溝部分に収容した後、ヘッド先端部１２Ａをヘッド基端部１２Ｂに振動溶着することによって、図７（ａ）、（ｂ）に示すように、板バネ１５を、第２案内溝１４から脱落しないような状態で、アダプタヘッド１２に取り付けることができる。
【００３７】
このようにしてアダプタヘッド１２に取り付けられた板バネ１５が自由に弾性変形することができるように、板バネ１５の周縁部分を支持している挿入溝１４ｃは、その幅方向及び深さ方向に余裕を持たせてあり、図７（ｂ）に示すように、第２案内溝１４内において、板バネ１５はアダプタヘッド１２の径方向及び周方向にフリーな状態になっている。
【００３８】
また、図９（ａ）、（ｂ）に示すように、第２案内溝１４における抜止溝１４ｂの始端部から板バネ１５の係止凸部１５ａまでの距離Ｌは、第１案内溝１３における抜止溝１３ｂの始端部から終端部（係止突起１３ｃ）までの距離Ｌ１より、フィルタ部材２０の凸部２３の大きさ程度短くなっており、第１案内溝１３によって案内される凸部２３が、その抜止溝１３ｂの終端部に至る直前で、第２案内溝１４によって案内される凸部２３が板バネ１５の係止凸部１５ａに当接するようになっている。
【００３９】
このフィルタ部材２０を上述したアダプタヘッド１２に装着する場合は、まず、フィルタ部材２０に形成された３個の凸部２３を、アダプタヘッド１２の外周面に形成された第１案内溝１３、１３及び第２案内溝１４における導入溝１３ａ、１３ａ、１４ａの始端部に位置合わせした後、フィルタ部材２０を押し込むことによって、各凸部２３を導入溝１３ａ、１３ａ、１４ａに沿って移動させながら、フィルタ部材２０をアダプタヘッド１２に嵌め込む。
【００４０】
続いて、フィルタ部材２０の各凸部２３が抜止溝１３ｂ、１３ｂ、１４ｂに沿って移動可能な方向にフィルタ部材２０を回転させると、各凸部２３が抜止溝１３ｂ、１３ｂ、１４ｂに沿ってスムーズに移動し、図１０（ａ）に示すように、抜止溝１４ｂに沿って移動している凸部２３が第２案内溝１４に取り付けられた板バネ１５の係止凸部１５ａに当接する。
【００４１】
ここで、力を加えてさらにフィルタ部材２０を同方向に回転させると、同図（ｂ）に示すように、抜止溝１４ｂに沿って移動している凸部２３が、板バネ１５の係止凸部１５ａを押圧することによって板バネ１５が弾性変形を起こし、その係止凸部１５ａの突出量が小さくなるので、抜止溝１４ｂに沿って移動している凸部２３が極端に大きな抵抗を受けることなく係止凸部１５ａを乗り越える。このようにして抜止溝１４ｂに沿って移動している凸部２３が係止凸部１５ａを乗り越えると、同図（ｃ）に示すように、板バネ１５は初期状態に復帰し、係止凸部１５ａの突出量が再び大きくなるので、同様の力を加えない限り、フィルタ部材２０が逆方向に回転することはない。
【００４２】
この時点で、板バネ１５の係止凸部１５ａを乗り越えた凸部２３は、同図（ｃ）に示すように、抜止溝１４ｂに沿ってさらに同方向に移動することができる状態にあるが、同図（ｄ）に示すように、抜止溝１４ｂより短い抜止溝１３ｂ、１３ｂに沿って移動している他の凸部２３は、抜止溝１３ｂ、１３ｂの終端部に形成されている剛性の高い係止突起１３ｃに当接するので、この時点でフィルタ部材２０の同方向への回転も阻止され、フィルタ部材２０がアダプタヘッド１２の正規の装着位置に保持されることになる。
【００４３】
また、このようにしてアダプタヘッド１２に装着されたフィルタ部材２０は、逆の動作を行うことによって、アダプタヘッド１２から簡単に取り外すことができる。
【００４４】
以上のように、この風呂釜用循環アダプタ１は、フィルタ部材２０をアダプタヘッド１２の正規の位置に装着させるために、フィルタ部材２０に形成された凸部２３を所定位置に案内する、アダプタヘッド１２に形成された第２案内溝１４に、係止凸部１５ａを有する板バネ１５を取り付け、フィルタ部材２０の凸部２３が板バネ１５の係止凸部１５ａを乗り越える際に、板バネ１５を弾性変形させることによって、係止凸部１５ａの突出量を小さくさせる構成を採用したため、フィルタ部材２０側の凸部２３と板バネ１５の係止凸部１５ａとの重なり代をある程度大きく設定しても、極端に大きな抵抗を受けることなく円滑にフィルタ部材２０をアダプタヘッド１２に装着することができる。
【００４５】
また、フィルタ部材２０の凸部２３が板バネ１５の係止凸部１５ａを乗り越えた後は、板バネ１５が初期状態に復帰することによって、係止凸部１５ａの突出量も大きくなるので、一旦装着されたフィルタ部材２０は外れにくく、フィルタ部材２０がアダプタヘッド１２に確実に固定される。
【００４６】
また、フィルタ部材２０の凸部２３が板バネ１５の係止凸部１５ａを乗り越える際、フィルタ部材２０の凸部２３が板バネ１５の係止凸部１５ａの頂部を僅かに越えた段階で、板バネ１５の復元力（付勢力）によって、フィルタ部材２０の凸部２３が移動方向に付勢され、板バネ１５の係止凸部１５ａをある程度の勢いで乗り越えることになるので、フィルタ部材２０の着脱を行うユーザは、フィルタ部材２０がアダプタヘッド１２の正規の位置に装着されたか否かを判断するための良好な感触を得ることができる。
【００４７】
従って、剛性が高く、弾性変形しにくいフィルタ部材の凸部が、樹脂成形された剛性の高い係止凸部を乗り越えなければならない従来の風呂釜用循環アダプタのように、アダプタヘッドやフィルタ部材に厳しい寸法精度が要求されることがなく、フィルタ部材２０側の凸部２３とアダプタヘッド１２側の係止凸部１５ａとの重なり代をある程度大きく設定しておくことによって、アダプタヘッドやフィルタ部材の寸法精度が多少悪くなっても、適正な装着作業性と安定した装着状態を確実に得ることができる。
【００４８】
また、従来の風呂釜用循環アダプタでは、フィルタ部材側の凸部とアダプタヘッド側の係止凸部との重なり代を調整することによって、適正な装着作業性と安定した装着状態とを確保しなければならないが、この風呂釜用循環アダプタ１では、フィルタ部材２０の凸部２３と板バネ１５の係止凸部１５ａとの重なり代のみならず、係止突起１５ａが形成された板バネ１５の弾性力を調整することによっても、フィルタ部材２０の凸部２３が板バネ１５の係止突起１５ａを乗り越える際のフィルタ部材２０の回転抵抗及びその変化量を調整することができるので、適正な装着作業性と安定した装着状態を確保し易くなるという効果も得られる。
【００４９】
また、アダプタヘッド１２側の係止凸部１５ａが弾性変形するので、フィルタ部材２０の凸部２３が板バネ１５の係止凸部１５ａを乗り越える際、係止凸部１５ａに大きな押圧力がかかりにくく、しかも、係止凸部１５ａ自体がフィルタ部材２０の形成素材と同一の金属（ステンレス）によって形成されているので、アダプタヘッド１２に対するフィルタ部材２０の着脱を繰返し行っても、係止凸部１５ａが摩耗しにくく、適正な着脱作業性と安定した装着状態とを長期間維持することができる。
【００５０】
また、板バネ１５は、上述したように、係止凸部１５ａ部分が幅狭に形成されており、しかも、フリーな状態でアダプタヘッド１２に取り付けられているので、係止凸部１５ａが弾性変形しやすく、樹脂成形品であるアダプタヘッド１２にもストレスがかかりにくいので、アダプタヘッド１２がクリープ破壊を起こすこともない。
【００５１】
なお、上述した実施形態では、係止凸部１５ａ部分を局部的に変形させる板バネ１５を使用しているが、これに限定されるものではなく、例えば、図１１（ａ）、（ｂ）、（ｃ）に示すように、第２案内溝１４に取り付けたとき、その深溝部分から全体的に浮き上がったような板バネ１５を使用すると、係止凸部１５ａ部分を変形させることなく、板バネ全体を変形させることによって係止凸部１５ａ部分をアダプタヘッド１２の径方向に移動させることができるので、フィルタ部材２０をアダプタヘッド１２に装着する際の、フィルタ部材２０の回転抵抗を小さくすることができる。
【００５２】
また、上述した実施形態では、板バネ１５をヘッド先端部１２Ａに取り付けた後、ヘッド先端部１２Ａをヘッド基端部１２Ｂに振動溶着することによって、板バネ１５をアダプタヘッド１２に取り付けるようにしているが、例えば、ヘッド先端部１２Ａとヘッド基端部１２Ｂとを振動溶着した後に、板バネ１５を湾曲させた状態で、その長手方向の両端部を抜止溝１４ｂの始端部及び終端部に形成された挿入溝１４ｃに挿入することによって、板バネ１５をアダプタヘッド１２に取り付けることも可能である。ただし、その場合は、板バネ１５の長手方向の両端部のみで板バネ１５をアダプタヘッド１２に支持することになる。
【００５３】
また、上述した実施形態では、板バネ１５を完全にフリーな状態で、アダプタヘッド１２に取り付けているが、これに限定されるものではなく、係止凸部１５ａ部分が容易に弾性変形するのであれば、板バネ１５を第２案内溝１４の深溝部分の底壁に固着することも可能である。
【００５４】
また、上述した実施形態では、金属（ステンレス）によって形成された板バネ１５を使用しているが、必要な強度を確保することができるのであれば、樹脂バネを使用することも可能である。
【００５５】
また、上述した実施形態では、係止凸部１５ａが形成された板バネ１５をアダプタヘッド１２に取り付けるようにしているが、これに限定されるものではなく、例えば、容易に弾性変形するゴムや合成樹脂によって形成された係止凸部を、アダプタヘッド１２に固着したり、アダプタヘッド１２に一体成形することも可能である。
【００５６】
また、上述した実施形態では、吸込口１２ａと吐出口１２ｂが同一のアダプタヘッド１２に形成された１穴タイプの風呂釜用循環アダプタ１について説明したが、本発明の風呂釜用循環アダプタは、これに限定されるものではなく、吸込口を有する吸込側アダプタヘッドと吐出口を有する吐出側アダプタヘッドとをそれぞれ個別に浴槽に取り付ける２穴タイプの風呂釜用循環アダプタにおける吸込側アダプタヘッドにフィルタ部材を装着する場合についても適用することができることはいうまでもない。
【図面の簡単な説明】
【図１】この発明にかかる風呂釜用循環アダプタの一実施形態を示す分解斜視図である。
【図２】（ａ）、（ｂ）は同上の風呂釜用循環アダプタの浴槽への取付方法を説明するための説明図である。
【図３】（ａ）は同上の風呂釜用循環アダプタを構成しているフィルタ部材を示す正面図、（ｂ）は同上の風呂釜用循環アダプタを構成しているアダプタヘッドを示す正面図である。
【図４】（ａ）は第１案内溝の形成部分を示すアダプタヘッドの側面図、（ｂ）は同上の第１案内溝の形成部分を示すアダプタヘッド（ヘッド先端部）の基端側の端面図である。
【図５】（ａ）は第２案内溝の形成部分を示すアダプタヘッドの側面図、（ｂ）は同上の第２案内溝の形成部分を示すアダプタヘッド（ヘッド先端部）の基端側の端面図である。
【図６】（ａ）は同上の第２案内溝に収容される板バネを示す端面図、（ｂ）は同上の板バネを示す平面図である。
【図７】（ａ）は同上の第２案内溝に板バネが収容された状態を示すアダプタヘッドの部分拡大側面図、（ｂ）は同上の第２案内溝に板バネが収容された状態を示すアダプタヘッド（ヘッド先端部）の基端側の端面図である。
【図８】（ａ）は、同上のアダプタヘッドを示す分解側面図、（ｂ）は同上の第２案内溝に板バネを収容する方法を説明するための説明図である。
【図９】（ａ）、（ｂ）は同上の第１案内溝と第２案内溝の相対関係を説明するための説明図である。
【図１０】（ａ）〜（ｄ）は同上の風呂釜用循環アダプタにおけるフィルタ部材の装着動作を説明するための動作説明図である。
【図１１】（ａ）〜（ｃ）は、他の実施形態である風呂釜用循環アダプタにおける板バネの変形状態を示す概略図である。
【図１２】従来の風呂釜用循環アダプタを示す分解斜視図である。
【図１３】（ａ）〜（ｃ）は同上の風呂釜用循環アダプタにおけるフィルタ部材の装着動作を説明するための説明図である。
【符号の説明】
１  風呂釜用循環アダプタ
１０  アダプタ本体
１２  アダプタヘッド
１２ａ  吸込口
１２ｂ  吐出口
１３  第１案内溝
１３ａ  導入溝
１３ｂ  抜止溝
１３ｃ  係止突起
１４  第２案内溝
１４ａ  導入溝
１４ｂ  抜止溝
１４ｃ  挿入溝
１５  板バネ
１５ａ  係止凸部
２０  フィルタ部材
２３  凸部
Ｂ  浴槽
【図１】
0003709796.tif 000002
【図２】
0003709796.tif 000003
【図３】
0003709796.tif 000004
【図４】
0003709796.tif 000005
【図５】
0003709796.tif 000006
【図６】
0003709796.tif 000007
【図７】
0003709796.tif 000008
【図８】
0003709796.tif 000009
【図９】
0003709796.tif 000010
【図１０】
0003709796.tif 000011
【図１１】
0003709796.tif 000012
【図１２】
0003709796.tif 000013
【図１３】
0003709796.tif 000014